(57)【特許請求の範囲】
【請求項１】
少なくとも一方が透光性を有する一対の基板、及び前記一対の基板間に分散され、前記基板間に形成された電界に応じて移動すると共に互いに色及び移動するために必要な移動電圧の絶対値が異なる複数種類の粒子群を含む画素を複数有する表示媒体と、
前記表示媒体の前記一対の基板間に電圧を印加する電圧印加手段と、
前記表示媒体に表示された画像の表示色を変更する変更対象領域を示す領域情報を取得する取得手段と、
前記変更対象領域に表示させる表示色に関する色情報を前記変更対象領域に対応した前記画素の各々の位置を示す位置情報に対応づけて予め記憶すると共に、前記変更対象領域に含まれる前記画素の各々が表示している表示色を示す表示色情報を前記位置情報に対応づけて記憶する記憶手段と、
前記取得手段により前記領域情報を取得した場合、前記変更対象領域に含まれる前記画素の各々に、前記複数種類の粒子群の移動電圧の絶対値のうちの最大値以上の電圧を印加した際に表示される色が、該電圧の印加前の表示色と異なる色となるように、前記記憶手段に記憶された前記表示色情報に基づいて、前記変更対象領域に含まれる前記画素毎に印加する前記最大値以上の電圧の極性を定め、定めた極性の前記最大値以上の電圧を前記変更対象領域に含まれる前記画素の各々に印加するように、前記電圧印加手段を制御する制御手段と、
を備えた表示装置。
【請求項２】
前記制御手段は、前記変更対象領域に含まれる前記画素の各々に、前記定めた極性の前記最大値以上の電圧を印加した後に、前記変更対象領域に含まれる前記画素の各々に、前記記憶手段に記憶された前記変更対象領域に対応する前記色情報により示された表示色を表示するための電圧を印加するように、前記電圧印加手段を制御する、
請求項１に記載の表示装置。
【請求項３】
前記取得手段は、前記変更対象領域に前記色情報により示された表示色を表示させる指示信号を更に取得し、
前記制御手段は、前記取得手段が前記領域情報を取得した場合、前記変更対象領域に含まれる前記画素の各々に、前記定めた極性の前記最大値以上の電圧を印加するように、前記電圧印加手段を制御し、
前記取得手段が前記指示信号を取得した場合、前記変更対象領域に含まれる前記画素の各々に、前記記憶手段に記憶された前記変更対象領域に対応する前記色情報により示された表示色を表示するための電圧を印加するように、前記電圧印加手段を制御する、
請求項２に記載の表示装置。
【請求項４】
前記領域情報が、前記表示媒体上の位置を指示する指示部材の軌跡を示す軌跡情報である
請求項１〜請求項３の何れか１項に記載の表示装置。
【請求項５】
前記粒子群が、色及び帯電極性の異なる第１粒子群及び第２粒子群を含み、該第１粒子群及び第２粒子群は、各々の移動電圧の絶対値以上の電圧が前記基板間に印加されたときに単独で移動し、各々の移動電圧の絶対値より小さい電圧値の電圧が前記基板間に印加されたときに正または負に帯電した凝集体を形成して前記基板間を移動する
請求項１〜請求項４の何れか１項に記載の表示装置。
【発明の詳細な説明】
【技術分野】
【０００１】
本発明は、表示装置に関するものである。
【背景技術】
【０００２】
繰り返し書き換えが可能な画像表示媒体として、着色粒子を用いた表示媒体が知られている。
【０００３】
特許文献１には、表示基板と背面基板との分散媒中に、色及び移動を開始する電界強度の異なる複数種類の粒子群を備えた表示媒体を備え、表示基板と背面基板との基板間に、各粒子の移動を開始する電界強度に応じて、極性及び電圧値の異なる電圧を繰り返し印加することで、目的とする色を表示する表示装置が提案されている。
【先行技術文献】
【特許文献】
【０００４】
【特許文献１】特開２００７−２４９１８８号公報
【発明の概要】
【発明が解決しようとする課題】
【０００５】
本発明は、表示媒体における表示色の変更対象領域が指示されたときに、表示媒体における該変更対象領域に相当する領域に、複数種類の粒子群の移動電圧の絶対値の最大値以上の電圧を印加しない場合に比べて、表示媒体の該変更対象領域に相当する領域の色が高速に変化する表示装置を提供することを課題とする。
【課題を解決するための手段】
【０００９】
請求項１に係る発明は、
少なくとも一方が透光性を有する一対の基板、及び前記一対の基板間に分散され、前記基板間に形成された電界に応じて移動すると共に互いに色及び移動するために必要な移動電圧の絶対値が異なる複数種類の粒子群を含む画素を複数有する表示媒体と、
前記表示媒体の前記一対の基板間に電圧を印加する電圧印加手段と、
前記表示媒体に表示された画像の表示色を変更する変更対象領域を示す領域情報を取得する取得手段と、
前記変更対象領域に表示させる表示色に関する色情報を前記変更対象領域に対応した前記画素の各々の位置を示す位置情報に対応づけて予め記憶すると共に、前記変更対象領域に含まれる前記画素の各々が表示している表示色を示す表示色情報を前記位置情報に対応づけて記憶する記憶手段と、
前記取得手段により前記領域情報を取得した場合、前記変更対象領域に含まれる前記画素の各々に、前記複数種類の粒子群の移動電圧の絶対値のうちの最大値以上の電圧を印加した際に表示される色が、該電圧の印加前の表示色と異なる色となるように、前記記憶手段に記憶された前記表示色情報に基づいて、前記変更対象領域に含まれる前記画素毎に印加する前記最大値以上の電圧の極性を定め、定めた極性の前記最大値以上の電圧を前記変更対象領域に含まれる前記画素の各々に印加するように、前記電圧印加手段を制御する制御手段と、
を備えた表示装置である。
【００１０】
請求項２に係る発明は、
前記制御手段は、前記変更対象領域に含まれる前記画素の各々に、前記定めた極性の前記最大値以上の電圧を印加した後に、前記変更対象領域に含まれる前記画素の各々に、前記記憶手段に記憶された前記変更対象領域に対応する前記色情報により示された表示色を表示するための電圧を印加するように、前記電圧印加手段を制御する、請求項１に記載の表示装置である。
【００１１】
請求項３に係る発明は、
前記取得手段は、前記変更対象領域に前記色情報により示された表示色を表示させる指示信号を更に取得し、
前記制御手段は、前記取得手段が前記領域情報を取得した場合、前記変更対象領域に含まれる前記画素の各々に、前記定めた極性の前記最大値以上の電圧を印加するように、前記電圧印加手段を制御し、
前記取得手段が前記指示信号を取得した場合、前記変更対象領域に含まれる前記画素の各々に、前記記憶手段に記憶された前記変更対象領域に対応する前記色情報により示された表示色を表示するための電圧を印加するように、前記電圧印加手段を制御する、請求項２に記載の表示装置である。
【００１２】
請求項４に係る発明は、前記領域情報が、前記表示媒体上の位置を指示する指示部材の軌跡を示す軌跡情報である請求項１〜請求項３の何れか１項に記載の表示装置である。
【００１３】
請求項５に係る発明は、前記粒子群が、色及び帯電極性の異なる第１粒子群及び第２粒子群を含み、該第１粒子群及び第２粒子群は、各々の移動電圧の絶対値以上の電圧が前記基板間に印加されたときに単独で移動し、各々の移動電圧の絶対値より小さい電圧値の電圧が前記基板間に印加されたときに正または負に帯電した凝集体を形成して前記基板間を移動する請求項１〜請求項４の何れか１項に記載の表示装置である。
【発明の効果】
【００１７】
請求項１に係る発明によれば、表示媒体における領域情報に対応する領域内の、色情報が異なる画素の各々に、本発明における最大値以上の電圧を各画素領域に印加したときに表示される色が、該電圧の印加前に表示されていた色とは異なる色となるように、該画素領域の各々に印加する該最大値以上の電圧の極性を該画素領域毎に定め、定めた極性の該最大値以上の電圧を該画素領域の各々に印加しない場合に比べて、表示媒体の該変更対象領域に相当する領域の色が高速に変化する表示装置が提供される、という効果を奏する。
【００１８】
請求項２に係る発明によれば、表示媒体における領域情報に対応する領域内の、本発明における色情報が異なる画素の各々に、本発明において定めた極性の最大値以上の電圧を印加した後に、該画素領域の各々に、該画素領域を示す情報に対応する色情報の色を表示するための電圧を印加しない場合に比べて、変更対象領域の色が高速に変化した後に、所望の色が表示される、という効果を奏する。
【００１９】
請求項３に係る発明によれば、本発明における第２の取得手段を備えない場合に比べて、操作者による選択肢が広がる、という効果を奏する。
【００２０】
請求項４に係る発明によれば、領域情報が軌跡情報ではない場合に比べて、表示媒体上の位置を指示する指示部材による軌跡が、高速に変化する、という効果を奏する。
【００２１】
請求項５に係る発明によれば、粒子群が凝集体を形成する粒子群を含まない場合に比べて、多色表示が実現される、という効果を奏する。
【図面の簡単な説明】
【００２２】
【図１】本実施形態に係る表示媒体及び表示装置の概略構成図である。
【図２】本実施形態に係る表示媒体を拡大して模式的に示した断面図である。
【図３】印加する電圧と表示濃度との関係を模式的に示す線図である。
【図４】第１の実施の形態に係る制御部を示すブロック図である。
【図５】（Ａ）〜（Ｃ）  第１の実施の形態にかかる、制御部で処理が実行されることによる、表示媒体の変更対象領域の変色の推移を示す模式図である。
【図６】第１の実施の形態における電圧印加ルーチンを示すフローチャートである。
【図７】（Ａ）〜（Ｚ）  第１の実施の形態にかかる、制御部で処理が実行されることによる、表示媒体における粒子群の移動を示す模式図である。
【図８】（Ａ）〜（Ｚ）  第１の実施の形態にかかる、制御部で処理が実行されることによる、表示媒体における粒子群の移動を示す模式図である。
【図９】（Ａ）（Ｂ）  第１の実施の形態にかかる、制御部で処理が実行されることによる、表示媒体の変更対象領域の変色の推移の一例を示す模式図である。
【図１０】（Ａ）（Ｂ）従来の装置における、表示媒体の変更対象領域の変色の推移を示す模式図である。
【図１１】第２の実施の形態に係る制御部を示すブロック図である。
【図１２】第２の実施の形態における電圧印加ルーチンを示すフローチャートである。
【図１３】（Ａ）〜（Ｅ）  第１の実施の形態にかかる、制御部で処理が実行されることによる、表示媒体の変更対象領域の変色の推移の一例を示す模式図である。
【図１４】（Ａ）〜（Ｈ）  凝集粒子を用いた場合における、表示媒体における粒子群の移動を示す模式図である。
【発明を実施するための形態】
【００２３】
以下、本実施の形態について図面を参照しつつ説明する。なお、作用・機能が同じ働きを担う部材には、全図面を通して同じ符合を付与し、重複する説明を省略する場合がある。
【００２４】
（第１の実施の形態）
図１に示すように、本実施の形態に係る表示装置１０は、表示媒体１２と、表示媒体１２を駆動する駆動部１４と、を含んで構成されている。
【００２５】
駆動部１４は、表示媒体１２に電圧を印加する電圧印加部１６と、記憶部１８と、取得部２２と、制御部２０と、を含んで構成されている。制御部２０は、電圧印加部１６、記憶部１８、及び取得部２２と電気的に接続されている。記憶部１８は、各種データを記憶する。
【００２６】
取得部２２は、第1取得部２２Ａ及び第２取得部２２Ｂを含んで構成されており、外部から各種データを取得する。第１取得部２２Ａは、表示媒体１２における表示色の変更対象領域を指示する指示部材３２に信号授受可能に接続されている。この指示部材３２は、表示媒体１２における表示色の変更対象領域を指示するための部材である。指示部材３２としては、表示媒体１２上の表示色の変更対象領域を示す領域情報を、駆動部１４へ出力しうる部材であればよく、特定の構成の部材に限られない。
【００２７】
なお、この「変更対象領域」とは、表示媒体１２上の表示色を変更する対象の領域であって、表示媒体１２に表示される画像の複数の画素に対応する領域を示している。すなわち、表示色の変更対象となる領域は、表示媒体１２上の１画素に対応する領域ではなく、複数の画素に対応する領域である。
また「領域情報」とは、表示媒体１２における表示色の上記変更対象領域を示す情報であればよく、具体的には、指示部材３２の位置座標を示す情報等が挙げられる。
【００２８】
このような指示部材３２としては、例えば、表示媒体１２上の位置や領域を指示するためのペン型やマウス型の入力装置（例えば、スタイラスペン）３２Ａと、位置（座標）を検出するための板状部材（例えば、タブレット）３２Ｂと、を備えた構成が挙げられる。入力装置３２Ａは、表示媒体１２上に表示された画像に対して追記を行ったり、表示媒体１２上に表示された画像の表示色の変更対象領域を指定したりするときに用いられる。この入力装置３２Ａとしては、例えば、赤外線を出力する赤外線出力装置と、超音波を出力する出力部を備えた構成が挙げられるがこれらに限られない。また、板状部材３２Ｂとしては、入力装置３２Ａの位置を検出するために、入力装置３２Ａから出力される赤外線を検知するセンサや、超音波を検知するセンサを備えた構成が挙げられ、これらのセンサから出力される信号に基づいて入力装置３２Ａの板状部材３２Ｂ上の位置を検知し、入力装置３２Ａが板状部材３２Ｂの表面において移動した軌跡を示す情報や板状部材３２Ｂ上で指示された領域を示す情報を、表示色の変更対象領域を示す領域情報として駆動部１４へ出力する。
【００２９】
なお、指示部材３２として、上述のように、入力装置３２Ａと板状部材３２Ｂから構成されたものを用いる場合には、板状部材３２Ｂとして透明（光透過率が８０％以上）な板状部材３２Ｂを用意して、この板状部材３２Ｂを表示媒体１２の表面に重ねて一体的に構成してもよい。このように板状部材３２Ｂを表示媒体１２の表面に重ねて、板状部材３２Ｂと表示媒体１２とを一体的に構成した場合には、入力装置３２Ａを表示媒体１２の表示面側（表示基板３４側）の面上で移動させることで、入力装置３２Ａによって表示媒体１２における表示色の変更対象領域が、表示媒体１２上で直接指示されることとなる。なお、板状部材３２Ｂは、表示媒体１２とは別体として構成してもよい。
【００３０】
第２取得部２２Ｂは、外部装置３０に無線または有線で電気的に接続されており、外部装置３０から、上記指示部材３２によって指示された変更対象領域に表示させる色（以下、「目的色」と称して説明する場合がある）を示す色情報や、複数種類の粒子群５０の移動電圧の絶対値のうちの最大値以上の電圧値（以下、最大電圧値と称する場合がある、詳細後述）の電圧を印加された変更対象領域へ、該目的色を表示させることを指示する目的色表示指示情報を取得する。
【００３１】
なお、本実施の形態では、第1取得部２２Ａと、第２取得部２２Ｂとは、別体として設けられている場合を説明するが、一体的に設けられた構成であってもよい。
【００３２】
外部装置３０としては、パーソナルコンピュータ等の情報処理装置や、メモリカード等の記憶部材が挙げられる。
【００３３】
なお、表示装置１０が、本発明の表示装置に相当する。また、電圧印加部１６が本発明の表示装置における電圧印加手段に相当し、記憶部１８が本発明の表示装置における記憶手段に相当し、第１取得部２２Ａが本発明の表示装置における第１の取得手段に相当し、第２取得部２２Ｂが本発明の表示装置における第２の取得手段に相当する。また、指示部材３２が本発明の表示装置における指示部材に相当する。
【００３４】
図２に示すように、表示媒体１２は、画像表示面とされる透光性（可視光の透過率が７０％以上）を有する表示基板３４と、表示基板３４に間隔をあけて向かい合うように配置された背面基板３６と、を含んで構成されている。
表示基板３４と背面基板３６との基板間には、分散媒５４が充填されており、分散媒５４中には、白色粒子５２Ｗと、表示基板３４と背面基板３６との基板間に形成された電界に応じて該基板間を移動する粒子群５０と、が分散されている。
【００３５】
なお、表示媒体１２が、本発明の表示装置における表示媒体に相当し、表示基板３４及び背面基板３６が一対の基板に相当する。また、粒子群５０が本発明の表示装置における複数種類の粒子群に相当する。
【００３６】
表示基板３４は、支持基板３８上に、表示電極４０及び絶縁層４２がこの順に設けられた構成とされている。背面基板３６は、支持基板４４上に、該支持基板４４の面方向に沿って間隔を空けて複数の画素電極４８の設けられた構成とされている。この複数の画素電極４８上には、絶縁層４６が備けられている。
【００３７】
本実施の形態では、表示媒体１２に電圧を印加する電極は、所謂、アクティブマトリクス構造とされている場合を説明する。
なお、表示媒体１２における電極の構造は、アクティブマトリクス構造に限られず、所謂パッシブマトリクス構造としてもよい。また、表示媒体１２に電圧を印加する電極（表示電極４０及び画素電極４８）は、表示基板３４及び背面基板３６の向かい合う面に各々設けてもよいし、表示基板３４及び背面基板３６の対向面とは反対側の面（すなわち、外側の面）に設けられていてもよい。また、表示媒体１２に電圧を印加するこれらの表示電極４０及び画素電極４８は、表示基板３４及び背面基板３６の各々とは別体として、これらの基板の外側に設けた構成であってもよい。
【００３８】
アクティブマトリクス構造とされた電極構成として、本実施の形態では、表示電極４０は、図２に示すように、支持基板３８の面方向に沿って該支持基板３８における背面基板３６に向かい合う側の面を覆うように層状に設けられている。この表示電極４０は、電圧印加部１６に電気的に接続されている。なお、本実施の形態では、表示電極４０は、接地（０Ｖ）とされているものとして説明するが、このような形態に限られない。
【００３９】
一方、画素電極４８は、背面基板３６（支持基板４４）の面方向に沿って、間隔を空けて行方向及び列方向の双方に向かって複数配列された構成とされている。これらの複数の画素電極４８は、各々独立して電圧印加部１６に電気的に接続されており、電圧印加部１６から独立して電圧を印加される。
【００４０】
なお、本実施の形態では、画素電極４８は、表示媒体１２に表示される画像の各画素に対応する領域に１対１で対応して設けられているものとして説明する。
【００４１】
絶縁層４２及び絶縁層４６は、絶縁性（体積抵抗率が１０１１Ω・ｃｍ以上、以下同様とする）の層である。絶縁層４２は、支持基板３８上に設けられた表示電極４０上に層状に設けられている。絶縁層４６は、背面基板３６上に設けられた複数の画素電極４８上を覆うように、これらの複数の画素電極４８より表示基板３４側に層状に設けられている。      
【００４２】
分散媒５４は、絶縁性の液体から構成されており、粒子群５０及び白色粒子５２Ｗを構成する各粒子を分散させる。なお、本実施の形態では表示媒体１２の表示基板３４と背面基板３６との基板間には、分散媒５４が充填されている場合を説明するが、表示媒体１２は、このような液体の充填された構成に限られず、分散媒５４に代えて、空気の充填された構成であってもよい。
【００４３】
分散媒５４に分散されている白色粒子５２Ｗは、基板間に電界が形成されても移動しない白色の粒子である。なお、本実施の形態では、白色粒子５２Ｗは、白色である場合を説明するが、電気泳動する粒子群５０とは異なる色であればよく、白色に限られない。このような電気泳動しない白色粒子５２Ｗが分散媒５４中に分散されているので、例えば、全ての電気泳動粒子（粒子群５０）が背面基板３６側に位置されているときには、表示媒体１２は、白色粒子５２Ｗによる白色表示がなされた状態となる。
【００４４】
粒子群５０は、表示基板３４と背面基板３６との基板間（以下、単に「基板間」と称する場合がある）に形成された電界に応じて移動する電気泳動粒子である。
【００４５】
なお、本実施の形態では、互いに色の異なる粒子群５０として、イエロー色の粒子群５０Ｙ、マゼンタ色の粒子群５０Ｍ、及びシアン色の粒子群５０Ｃが分散されているとして説明するが、３種類に限られない。また、粒子群５０の色についても、イエロー、マゼンタ、シアンに限られない。
【００４６】
この複数種類の粒子群５０は、電界に応じて移動するために必要な移動電圧の絶対値が各色の粒子群でそれぞれ異なる。すなわち、各色の粒子群５０（粒子群５０Ｙ、粒子群５０Ｍ、及び粒子群５０Ｃ）は、色毎に各色の粒子群５０を移動させるために必要な電圧範囲を有し、当該電圧範囲がそれぞれ異なる。
【００４７】
ここで、「移動電圧の範囲」とは、各色の粒子群５０（粒子群５０Ｙ、粒子群５０Ｍ、及び粒子群５０Ｃ）の各々を構成する各粒子を、表示基板３４又は背面基板３６側へ位置された状態から、表示基板３４と背面基板３６との基板間に印加する電圧の電圧値を連続的に変化させたときに、各色の粒子群５０が向かい合う他方の基板側へと移動を開始したときの電圧から、該他方の基板側への移動が終了するときの電圧までの範囲を示している。すなわち、これらの複数種類の粒子群５０は、各種類の粒子群毎の移動電圧の範囲内の電圧を印加することによって、各々の種類の粒子群５０が選択的に移動する。
【００４８】
なお、各色の粒子群５０が向かい合う他方の基板側へと移動を開始したときの電圧値とは、表示基板３４と背面基板３６との基板間に印加する電圧の電圧値を連続的に変化させたときに、各種類の粒子群５０を構成する粒子の移動によっても表示媒体１２の表示濃度に変化が現れない状態から表示濃度に変化が現れた状態へと移行したときに、基板間に印加している電圧の電圧値を示している。
【００４９】
この「表示濃度に変化が現れた」状態とは、表示媒体１２の表示電極４０と画素電極４８とに電圧を印加して、この電圧の電圧値を０Ｖから増加または減少させたときの表示基板３４面側の濃度を濃度計（Ｘ−Ｒｉｔｅ社製、Ｘ−Ｒｉｔｅ４０４Ａ）によって測定し、電圧印加前の濃度に対する濃度変化が、０．１未満である状態から、０．１以上となり始めたときの境界の状態を示している。
【００５０】
例えば、これらの複数種類の粒子群５０の粒子群としての、粒子群５０Ｙ、粒子群５０Ｍ、及び粒子群５０Ｃを表示基板３４側または背面基板３６側に移動させるために必要な移動電圧の範囲は、図３に示すような関係となっている。なお、図３では、表示基板３４側に設けられた表示電極４０をグランドとし（接地（０Ｖ））、背面基板３６側に設けられた画素電極４８に電圧を印加して且つその電圧を除々に変化（印加電圧を増加または減少）させ、各印加電圧の電圧値における表示基板３４側の濃度を上記濃度計で測定したときの測定結果である。また、図３における印加電圧と表示濃度との関係は、表示媒体１２に、白色粒子５２Ｗと、複数種類の粒子群５０のうちの１種類のみと、を充填した状態で、測定したものである。また、図３中、Ｖ１、Ｖ２、Ｖ３、Ｖ４、Ｖ５、Ｖ６は、各々異なる電圧値を示し、絶対値が、｜Ｖ１｜＜｜Ｖ２｜＜｜Ｖ３｜＜｜Ｖ４｜＜｜Ｖ５｜＜｜Ｖ６｜の関係を示すものとする。
【００５１】
このような、色及び移動するために必要な移動電圧の絶対値が異なる複数種の粒子群５０における移動電圧は、粒子群５０を構成する各粒子の表面の分散媒５４に対する流動抵抗や、各粒子の平均帯電量、粒径、及び形状係数等によって定められる。これらの流動抵抗や、平均帯電量、粒径、及び形状係数は、粒子群５０を構成する材料の内の、例えば、帯電制御剤や磁性粉の量、粒子を構成する樹脂の種類や濃度を調整したり、粒子の作製条件を制御したりすることで、調整される。
【００５２】
なお、複数種類の粒子群５０は、移動するために必要な移動電圧の絶対値が各色の粒子群でそれぞれ異なるが、これらの帯電極性（マイナス帯電またはプラス帯電）は、同じであってもよいし、異なっていてもよい。
【００５３】
上述のように構成された本実施の形態の表示媒体１２は、画像の保存及び書き換えの可能な掲示板、回覧板、電子黒板、広告、看板、点滅標識、電子ペーパー、電子新聞、電子書籍、及び複写機等と共用されるドキュメントシート等に使用される。
【００５４】
なお、本実施の形態の表示媒体１２は、図２に示す形態である場合を説明するが、表示基板３４と背面基板３６との基板間に封入された分散媒５４中に、複数種類の粒子群５０の分散された構成であればよく、図２に示す形態に限られない。
【００５５】
例えば、背面基板３６が、複数の画素電極４８毎にＴＦＴ（薄膜トランジスタ）を備えた構成であってもよい。また、分散媒５４中に分散された白色粒子５２Ｗに換えて、粒子群５０とは異なる光学的反射特性を有する反射部材を基板間に設けた構成であってもよい。なお、この「粒子群５０とは異なる光学的反射特性を有する」とは、粒子群５０だけが分散された分散媒５４と、反射部材とを対比して目視で観察した場合に、色相や明度、彩度などにおいて、両者の差異が識別される程度の差異があることを意味する。
この反射部材としては、上記特性を有する部材であればよく、例えば、粒子群５０が通過する孔を有する多孔質部材や、不織布等が挙げられる。
【００５６】
また、粒子群５０は、色及び移動するために必要な移動電圧の絶対値の異なる粒子群を含んでいればよく、色及び帯電極性が異なるが、移動電圧が同じ粒子群を更に含んだ構成であってもよい。
【００５７】
本実施の形態の表示媒体１２では、上述のように、複数種類の粒子群５０は、色及び移動するために必要な移動電圧の絶対値が異なる。このため、表示電極４０と各画素電極４８との間に、表示対象の色に応じた電圧値及び極性の電圧が印加されることで、印加された電圧に応じた種類の粒子群５０が基板間を移動し、粒子群５０の色の減色混合による色が表示される。
【００５８】
ここで、複数種類の粒子群５０は、各種類の粒子群の移動電圧の絶対値以上の電圧値で、且つ、複数種類の粒子群５０の各々を、該粒子群５０の位置されている基板側（表示基板３４及び背面基板３６の何れか一方）から他方の基板側へと向かわせるような極性の電圧が基板間に印加されると、該基板間を移動する。
【００５９】
例えば、粒子群５０を構成する粒子群５０Ｙ、粒子群５０Ｍ、及び粒子群５０Ｃのうち、粒子群５０Ｍが負帯電で且つ移動電圧の絶対値｜Ｍ｜が１５Ｖであり、粒子群５０Ｃが正帯電で且つ移動電圧の絶対値｜Ｃ｜が１０Ｖであり、粒子群５０Ｙが負帯電で且つ移動電圧の絶対値｜Ｙ｜が５Ｖであるとする。すなわち、複数種類の粒子群５０の移動電圧の絶対値の関係が、｜Ｍ｜＞｜Ｃ｜＞｜Ｙ｜の関係であるとすると、粒子群５０Ｙの移動電圧の絶対値｜Ｙ｜以上で且つ粒子群５０Ｃの移動電圧の絶対値｜Ｃ｜未満の電圧値で、負帯電の種類の粒子群５０を向かい合う基板側に移動させる極性の電圧が、画素電極４８に印加された場合には、粒子群５０Ｃ、粒子群５０Ｍ、粒子群５０Ｙのうちの、粒子群５０Ｙのみが基板間を移動する。しかし、これらの粒子群５０のうちの最大の移動電圧の絶対値以上の電圧が印加されると、複数種類の粒子群５０の位置によっては、１種類のみの粒子群５０ではなく、２種類以上の粒子群５０が基板間を移動する場合がある。
【００６０】
詳細には、例えば、表示基板３４側に粒子群５０Ｙ、粒子群５０Ｍ、及び粒子群５０Ｃが位置されている状態で、粒子群５０Ｙの移動電圧の絶対値｜Ｙ｜以上で且つ粒子群５０Ｃの移動電圧の絶対値｜Ｃ｜未満の値の電圧値で、且つ粒子群５０Ｙが表示基板３４側から背面基板３６側へ移動する極性の電圧である正極の電圧を画素電極４８に印加した場合には、粒子群５０Ｙのみが表示基板３４側から背面基板３６側へ移動する。
しかし、粒子群５０Ｙ、粒子群５０Ｍ、及び粒子群５０Ｃの全てが表示基板３４側に位置されている状態で、粒子群５０Ｍの移動電圧の絶対値｜Ｍ｜以上の値の電圧値で、且つ粒子群５０Ｍ及び粒子群５０Ｙが表示基板３４側から背面基板３６側へ移動する極性の電圧である正極の電圧を画素電極４８に印加した場合には、粒子群５０Ｙと粒子群５０Ｍが表示基板３４側から背面基板３６側へ移動する。
【００６１】
このため、表示媒体１２の表示基板３４側に１または複数種類の粒子群５０が位置されて特定の色が表示された状態から、他の目的とする目的色の表示がなされるように複数種類の粒子群５０を移動させる場合には、特定の電圧値及び極性の電圧を１回印加すればよい場合は少なく、各種類の粒子群５０の移動電圧の電圧値及び帯電極性に応じて、印加する電圧の電圧値及び極性を変更した電圧を、複数回基板間に印加する必要があった。
【００６２】
このため、例えば、表示媒体１２の表示面（本実施の形態では表示基板３４側の面）に表示されている表示色を所望の色に変更する場合には、目的とする色が表示されるまでには、何度も複数種類の粒子群５０を基板間で往復させる必要があり、表示媒体１２における変更対象領域の色が変色した状態で視認されるまでには、時間がかかる場合があった。
特に、指示部材３２を用いて、表示媒体１２に表示されている画像上に追記を行う場合には、指示部材３２の移動の軌跡が表示媒体１２に反映されるまでには時間を要する場合があった。
【００６３】
そこで、本実施の形態の表示装置１０の制御部２０では、第１取得部２２Ａが、表示媒体１２における表示色の変更対象領域として、表示媒体１２上に表示される画像の複数の画素に対応する領域を示す領域情報を取得したときに、表示媒体１２における該領域情報に対応する領域内の複数の画素に対応する領域の各々に、色及び移動電圧の絶対値の異なる複数種類の粒子群５０の、移動電圧の絶対値のうちの最大値以上の電圧値（最大電圧値）の電圧を、画素領域間で同じ極性で印加するように電圧印加部１６を制御する。
【００６４】
このため、表示媒体１２における、該変更対象領域の色が、本構成としない場合に比べて高速に変化する。
【００６５】
これらの制御は、表示装置１０の制御部２０で実行される。
制御部２０は、ＣＰＵ（中央処理装置）、後述する電圧印加ルーチンを実現するための電圧印加プログラムを記憶したＲＯＭ（リードオンリーメモリー）、データ等を記憶するＲＡＭ（ランダムアクセスメモリ）、及びこれらを接続するバスを含んで構成されている。この制御部２０をハードウエアとソフトウエアとに基づいて定まる機能実現手段毎に分割した機能ブロックで説明すると、図４に示すように、制御部２０は、領域情報取得部６０と、画素位置情報変換部６２と、最大電圧記憶部６６と、最大電圧印加指示部６４と、目的色表示指示情報取得部６８と、色表示用電圧印加指示部７０と、色情報記憶部７２と、を含んで構成されている。
【００６６】
領域情報取得部６０では、指示部材３２によって指示された、表示媒体１２上の表示色の変更対象領域を示す領域情報を、第１取得部２２Ａを介して取得する。画素位置情報変換部６２では、領域情報取得部６０で受け付けた領域情報を、表示媒体１２上の各画素電極４８の位置を示す情報に変換する。これによって、表示媒体１２上の表示色の変更対象領域を示す情報が、該変更対象領域に対応する位置に配置された複数の画素電極４８を示す情報に変換される。なお、画素位置情報変換部６２では、予め、指示部材３２によって指示される領域情報（位置座標）に対応づけて、表示媒体１２上の各画素に対応する領域である画素領域を示す情報と、各画素領域に配置された画素電極４８を示す情報（位置情報）と、を記憶している。そして、画素位置情報変換部６２では、領域情報取得部６０で受け付けた領域情報に対応する、複数の画素電極４８の位置を示す情報を読取ることによって、領域情報取得部６０で受け付けた領域情報を、表示媒体１２上の各画素電極４８の位置を示す情報に変換する。
【００６７】
最大電圧記憶部６６には、表示媒体１２に封入されている複数種類の粒子群５０の移動電圧の絶対値のうちの最大値以上の電圧値（最大電圧値）を示す最大電圧値情報が記憶されている。
この「最大電圧値」は、表示媒体１２に封入されている複数種類の粒子群５０の移動電圧の絶対値のうちの最大値以上の電圧値を示す情報であればよく、例えば、表示媒体１２に封入されている複数種類の粒子群５０の移動電圧の絶対値のうちの最大値以上で、且つ表示装置１０において印加可能な最大の電圧値以下の範囲の電圧値が定められる。なお、この最大電圧値情報は、予め測定して最大電圧記憶部６６に記憶しておけばよい。
【００６８】
最大電圧印加指示部６４では、最大電圧印加指示情報を電圧印加部１６へ出力する。この最大電圧印加指示情報は、最大電圧記憶部６６から読取った最大電圧値情報の最大電圧値の電圧を、極性情報の記憶された記憶部６４Ａから読取った極性で、画素位置情報変換部６２で得られた各画素電極４８へ印加することを示す情報である。具体的には、この最大電圧印加指示情報は、最大電圧記憶部６６から読取った最大電圧値情報と、記憶部６４Ａから読取った極性を示す極性情報と、画素位置情報変換部６２で得られた各画素電極４８の位置を示す位置情報と、電圧印加を指示する指示情報と、を含んで構成されている。
【００６９】
この最大電圧印加指示情報を受け付けた電圧印加部１６では、最大電圧印加指示情報に含まれる、最大電圧値情報と、極性情報と、画素電極４８の位置を示す位置情報と、指示情報と、を読取り、読取った位置情報に対応する各画素電極４８へ、読取った最大電圧値の電圧を、読取った極性で印加する。
【００７０】
なお、極性情報の記憶された記憶部６４Ａは、最大電圧印加指示部６４に設けられている。この極性情報は、上記最大電圧値の電圧の印加極性を示す情報であり、記憶部６４Ａは、上記極性情報として、正極または負極を示す情報を予め記憶しているものとする。
【００７１】
上述のように、領域情報取得部６０、画素位置情報変換部６２、最大電圧印加指示部６４によって処理が行われると、最大電圧印加指示部６４から電圧印加部１６へ、上記最大電圧印加指示情報が出力される。例えば、図５（Ａ）に示すように、表示媒体１２に設けられた複数の画素電極４８に対応する全領域のうちの、複数の画素電極４８（画素）に対応する領域を含む特定の領域８０Ａが、表示色の変更対象領域として入力装置３２Ａによって指示されたとする。この場合には、最大電圧印加指示部６４から電圧印加部１６へ上記最大電圧印加指示情報が出力されることで、該領域８０Ａ内に存在する複数の画素電極４８の各々に、電圧印加部１６から上記最大電圧値の電圧が、各画素電極４８間において同じ極性（正極または負極）で印加される。このため、この最大電圧値の電圧の印加された表示媒体１２上の領域８０Ｂは、最大電圧値の電圧の印加によって、該電圧の印加前とは異なる色を示す状態となる（図５（Ｂ））。
【００７２】
一方、目的色表示指示情報取得部６８は、上記変更対象領域に、上記目的色を表示させることを指示するための目的色表示指示情報を取得する。この目的色表示指示情報は、外部装置３０で指示され、第２取得部２２Ｂを介して目的色表示指示情報取得部６８に入力される。
【００７３】
なお、この目的色とは、上記指示部材３２によって指示された変更対象領域に表示させる目的の色を示している。この目的色を示す色情報は、各画素電極４８に対応する画素領域毎に表示させる色を示す情報を含んで構成されている。詳細には、この目的色を示す色情報は、各画素電極４８の位置を示す位置情報と、各画素電極４８に表示させる目的の色を示す情報と、を含んで構成されており、予め外部装置３０によって指示され、第２取得部２２Ｂを介して色情報記憶部７２へ記憶されているものとする。
【００７４】
目的色表示指示情報取得部６８が、目的色表示指示情報を取得すると、色表示用電圧印加指示部７０では、まず、色情報記憶部７２から、上記変更対象領域内の画素電極４８の位置を示す位置情報に対応する、各画素電極４８に表示させる目的の色を示す情報を読取る。
そして、色表示用電圧印加指示部７０は、これらの読取った情報に基づいて、目的色表示用電圧印加指示情報を電圧印加部１６へ出力する。この目的色表示用電圧印加指示情報は、上記最大電圧値の電圧の印加された上記変更対象領域内の画素電極４８の各々に、目的色を表示させるための電圧を印加することを指示する情報である。具体的には、この色表示用電圧印加指示情報は、電圧を印加する画素電極４８の位置を示す位置情報と、目的色を表示するための電圧印加情報と、電圧印加を指示する指示情報と、を含んで構成されている。
なお、この目的色を表示するための電圧印加情報とは、該目的色を表示するために必要な電圧印加手順を示す情報であって、印加する電圧として電圧値、電圧の極性、及び電圧印加時間を示すパルス信号を１または複数含む。すなわち、この目的色を表示するための電圧印加情報は、表示媒体１２中の変更対象領域内の各画素電極４８に対応する領域に存在する、複数種類の粒子群５０のうちの１または複数種類を、基板間で１または複数回移動させる電圧を示す情報である。
【００７５】
上記目的色表示用電圧印加指示情報が電圧印加部１６へ出力されると、電圧印加部１６では、目的色表示用電圧印加指示情報に含まれる、電圧を印加する画素電極４８を示す情報と、目的色を表示するための電圧印加情報と、指示情報と、を読取り、読取った位置情報に対応する各画素電極４８へ、読取った電圧印加情報に応じた電圧を印加する。
【００７６】
例えば、上記目的色表示用電圧印加指示情報が電圧印加部１６へ出力されると、上記最大電圧値の電圧の印加された領域８０Ｂ（図５（Ｂ）参照）内の各画素電極４８へ、上記目的色を表示するための電圧が印加され、変更対象領域内の各画素領域に目的色が表示されることとなる（図５（Ｃ）参照）。なお、図５（Ｃ）では、各画素領域（画素電極４８に対応する領域）には、同一の目的色が表示されている形態を示したが、このような形態に限られず、各画素電極４８に応じて指示された目的色が、画素領域毎に表示される。
【００７７】
次に、制御部２０で行われる、電圧印加ルーチンについて、図６を用いて説明する。
【００７８】
なお、表示媒体１２には、粒子群５０として、マゼンタの粒子群５０Ｍ、シアンの粒子群５０Ｃ、イエローの粒子群５０Ｙが封入されているものとして説明する。また、粒子群５０を構成する粒子群５０Ｙ、粒子群５０Ｍ、及び粒子群５０Ｃのうち、粒子群５０Ｍが負帯電で且つ移動電圧の絶対値｜Ｍ｜が１５Ｖであり、粒子群５０Ｃが正帯電で且つ移動電圧の絶対値｜Ｃ｜が１０Ｖであり、粒子群５０Ｙが負帯電で且つ移動電圧の絶対値｜Ｙ｜が５Ｖであるとする。すなわち、複数種類の粒子群５０の移動電圧の絶対値の関係が、｜Ｍ｜＞｜Ｃ｜＞｜Ｙ｜の関係である場合を一例として説明する。
【００７９】
ステップ１００では、表示媒体１２上の表示色の変更対象領域を示す領域情報を取得したか否かを判別し、否定されると本ルーチンを終了し、肯定されるとステップ１０２へ進む。ステップ１００の判断は、第１取得部２２Ａから領域情報を取得したか否かを判別することによって行われる。
【００８０】
次のステップ１０２では、上記ステップ１００で取得した領域情報を、表示媒体１２上の各画素電極４８の位置を示す情報に変換する。次のステップ１０４では、最大電圧記憶部６６から最大電圧値（表示媒体１２に封入されている複数種類の粒子群５０の移動電圧の絶対値のうちの最大値以上の電圧値）情報を読取る。次のステップ１０６では、極性情報の記憶された記憶部６４Ａから印加する電圧の極性を示す極性情報を読取り、上記ステップ１００で取得した領域情報に含まれる複数の画素電極４８の全てに印加する電圧として同じ極性の電圧を設定する。
【００８１】
次のステップ１０８では、上記ステップ１０２の処理によって得られた、変更対象領域に対応する、表示媒体１２上の各画素電極４８の位置を示す情報と、上記ステップ１０４で読取った最大電圧値情報と、上記ステップ１０６で設定した極性情報と、に基づいて、最大電圧印加指示情報を生成し、生成した最大電圧印加指示情報を電圧印加部１６へ出力する。
【００８２】
上記ステップ１００〜ステップ１０８の処理が行われることによって、変更対象領域内に配置されている複数の画素電極４８へ、最大電圧値の電圧が、各画素電極４８間で同じ極性で印加される。このため、表示媒体１２上における、変更対象領域として指示された領域に存在する複数種類の粒子群５０が、背面基板３６側または表示基板３４側の、印加された極性に応じた方向に移動する。
【００８３】
次のステップ１１０では、目的色表示指示情報を取得したか否かを判断し、否定されると本ルーチンを終了し、肯定されるとステップ１１２へ進む。ステップ１１０の判断は、第２取得部２２Ｂを介して目的色表示指示情報取得部６８に目的色表示指示情報が入力されたことを判別することによって行えばよい。
【００８４】
次のステップ１１２では、上記ステップ１００で取得した領域情報の変更対象領域に対応する、表示媒体１２上の複数の画素領域の各々に表示する目的の色を示す情報を、色情報記憶部７２から読取る。次のステップ１１４では、上記ステップ１１２で読取った情報に基づいて、目的色表示用電圧印加指示情報を電圧印加部１６へ出力する。
【００８５】
次のステップ１１６では、上記ステップ１１４で電圧印加部１６へ出力した目的色表示用電圧印加指示情報に含まれる、各画素電極４８を示す情報に対応する目的色を表示するための電圧印加情報によって示される各画素電極４８に対応する目的色を示す情報と、該目的色を表示する画素電極４８の位置を示す位置情報と、を対応づけて記憶部１８に記憶した後に、本ルーチンを終了する。このため、記憶部１８には、表示媒体１２上の各画素領域に現在表示されている色を示す情報が記憶される。
【００８６】
上記ステップ１００〜ステップ１１６の処理が実行されることによって、表示媒体１２では、例えば、図７及び図８に示すような粒子群５０の移動（泳動）が生じる。
なお、図７及び図８では、説明を簡略化するために、１つの画素電極４８に対応する画素領域に着目して粒子群５０の動きを説明したが、上述のように、変更対象領域は、複数の画素を含む領域であることが好ましい。
【００８７】
図７（Ａ）に示すように、表示色の変更対象領域内の特定の画素電極４８に対応する領域に、白色が表示されていたとする。そして、この変更対象領域に表示させる目的の色として、黒色が指示されていたとする。
【００８８】
この場合に、上記ステップ１００〜ステップ１０８の処理が実行されると、画素電極４８には最大電圧値の電圧が特定の極性で印加される。すると、全ての粒子群５０が背面基板３６側に配置されることで白色表示がなされていた領域に、粒子群５０の移動電圧の絶対値のうちの最大値である１５Ｖが画素電極４８に印加される。すると、図７中、領域Ａ内の粒子群５０の移動が生じる。
【００８９】
具体的には、印加される電圧の極性として、上記ステップ１０６の処理において正極が設定された場合には、画素電極４８には＋１５Ｖの電圧が印加される。このように、図７（Ａ）に示す、白色表示（Ｗ表示）のなされた状態の表示媒体１２において、画素電極４８に＋１５Ｖの電圧を印加すると、背面基板３６側に配置されていた粒子群５０Ｙ、粒子群５０Ｍ、及び粒子群５０Ｃのうち、粒子群５０Ｃが表示基板３４側へ移動する。これにより、表示基板３４側には、粒子群５０Ｃによるシアン色が表示（Ｃ表示）される（図７（Ｂ）参照）。
【００９０】
一方、印加される電圧の極性として、上記ステップ１０６の処理において負極が設定された場合には、画素電極４８には−１５Ｖの電圧が印加される。このように、図７（Ａ）に示す、白色表示（Ｗ表示）のなされた状態の表示媒体１２において、画素電極４８に−１５Ｖの電圧を印加すると、背面基板３６側に配置されていた粒子群５０Ｙ、粒子群５０Ｍ、及び粒子群５０Ｃのうち、粒子群５０Ｍと粒子群５０Ｙが表示基板３４側へ移動する。これにより、表示基板３４側には、粒子群５０Ｍと粒子群５０Ｙによる赤色が表示（Ｒ表示）される（図７（Ｃ）参照）。
【００９１】
このように、本実施の形態の表示装置１０では、変更対象領域（表示媒体１２上に表示される画像の複数の画素に対応する領域）を示す領域情報を取得したときに、複数種類の粒子群５０の移動電圧の絶対値のうちの最大値以上（最大電圧値）の電圧を、各画素電極４８間で同じ極性で印加する。このため、表示媒体１２上における変更対象領域の色が従来に比べて高速に変化すると考えられる。
【００９２】
また、最大電圧値の電圧は、変更対象領域内の複数の画素電極４８間で同じ極性とすることで、表示媒体１２上における変更対象領域の色が従来に比べて更に高速に変化すると考えられる。
【００９３】
そして、変更対象領域内の複数の画素電極４８の各々に、上記最大電圧値の電圧を印加した後に、変更対象領域へ目的色の表示を指示する目的色表示指示情報を取得した場合には、上記ステップ１１０〜ステップ１１６の処理が行われて、例えば、下記に示すような粒子群５０の移動が生じる。
【００９４】
具体的には、上記最大電圧値の電圧が印加されることで、図７（Ｂ）に示すシアン色の表示（Ｃ表示）された状態の表示媒体１２において、目的色とする黒色を表示するための電圧として、粒子群５０のうちの少なくとも１種を表示基板３４側または背面基板３６側に１または複数回移動させる電圧値及び極性の電圧が画素電極４８へ印加される。これによって、最終的には、目的色として、粒子群５０Ｍと粒子群５０Ｙと粒子群５０Ｃによる黒色が表示（Ｂｋ表示）される（図７（Ｚ）参照）。
【００９５】
詳細には、図７（Ｃ）に示す赤色の表示（Ｒ表示）された状態から、図７（Ｚ）に示す黒色の表示（Ｂｋ表示）された状態とするためには、例えば、まず、図７（Ｃ）及び図８（Ａ）に示す赤色の表示（Ｒ表示）された状態の表示媒体１２において、画素電極４８に＋１０Ｖの電圧を印加すると、背面基板３６側に配置されていた粒子群５０Ｃが表示基板３４側へ移動し、表示基板３４側に配置されていた粒子群５０Ｙが背面基板３６側へ移動する。これにより、表示基板３４側には、粒子群５０Ｃと粒子群５０Ｍによる青色が表示（Ｂ表示）される（図８（Ｂ）参照）。
そして、この図８（Ｂ）に示す青色の表示（Ｂ表示）された状態の表示媒体１２において、画素電極４８に−５Ｖの電圧を印加すると、背面基板３６側に配置されていた粒子群５０Ｙが表示基板３４側へ移動する。これにより、表示基板３４側には、粒子群５０Ｃ、粒子群５０Ｍ、及び粒子群５０Ｙによる黒色が表示（Ｂｋ表示）される（図８（Ｚ）及び図７（Ｚ）参照）。
【００９６】
なお、目的色がマゼンタである場合には、最大電圧値の電圧が印加されて図７（Ｃ）及び図８（Ａ）に示す赤色の表示（Ｒ表示）された状態の表示媒体１２において、画素電極４８に＋５Ｖの電圧を印加すると、表示基板３４側に配置されていた粒子群５０Ｃが背面基板３６側へ移動する。これにより、表示基板３４側には、粒子群５０Ｍによるマゼンタ色が表示（Ｍ表示）される（図８（Ｄ）参照）。
【００９７】
また、例えば、上記ステップ１００〜ステップ１１６の処理が実行されることによって、表示媒体１２には、以下のような画像が表示される。
【００９８】
例えば、透明な板状部材３２Ｂ（図１参照）を表示媒体１２の表示基板３４側に重ねて設けた構成とし、ペン型の入力装置３２Ａを用いて、この入力装置３２Ａでの先端を板状部材３２Ｂの表面上で移動させて該板状部材３２Ｂ上に線画像を筆記したとする。そして、該線画像の色（目的色）として、黒色が予め指示されて色情報記憶部７２に記憶されていたとする。
【００９９】
この場合には、上記ステップ１００〜ステップ１１６の処理が実行されることによって、本実施の形態における表示媒体１２の表示基板３４側には、入力装置３２Ａの軌跡に沿った変更対象領域９０（図９（Ａ）参照）が高速に変色する。そして、その後に、変更対象領域９０に表示させる色として指定した目的色を表示することを示す指示情報を取得した場合には、図９（Ｂ）に示すように、目的色である黒色で、変更対象領域９２としての軌跡が表示媒体１２上に表示されることとなる。
【０１００】
一方、上記ステップ１００〜ステップ１０８の処理による最大電圧印加指示情報の電圧印加部１６への出力を行わず、ステップ１００の処理を行った後にステップ１１２〜ステップ１１６の処理を行うことで、変更対象領域に、目的色を表示するための電圧を印加した場合には、入力装置３２Ａの先端を板状部材３２Ｂの表面上で移動させても、図１０（Ａ）に示すように、この移動の軌跡が本実施の形態のような高速では示されず、本実施の形態の表示装置１０における最大電圧値の電圧の印加による変色（図９（Ａ）参照）に遅れて、表示媒体１２上に黒色で、変更対象領域９２としての軌跡が表示されることとなる（図１０（Ｂ）参照）。
【０１０１】
なお、本実施の形態において、表示媒体１２上の変更対象領域は、表示媒体１２上の複数の画素領域を含む一部の領域に限られず、全領域であってもよい。
また、本実施の形態では、上記ステップ１１２〜ステップ１１６の処理は、ステップ１１０の判断の後に行う場合を説明したが、ステップ１１０の判断を行わずに、ステップ１０８からステップ１１２へ進んでもよい。
【０１０２】
（第２の実施の形態）
次に、第２の実施の形態について説明する。なお、第２の実施の形態に係る表示装置の構成は、第１の実施の形態と同様の構成となっているため、同一符号を付与して説明を省略する。
【０１０３】
第２の実施の形態では、印加する最大電圧値の電圧の極性を、変更対象領域の各画素領域に現在表示されている色に応じて、各画素領域（画素電極４８）毎に定める点が、第１の実施の形態と異なっている。
【０１０４】
図１及び図１１に示すように、第２の実施の形態における表示装置１１は、表示媒体１２と、表示媒体１２を駆動する駆動部１５と、を含んで構成されている。駆動部１５は、表示媒体１２に電圧を印加する電圧印加部１６と、記憶部１８と、取得部２２と、制御部２１と、を含んで構成されている。制御部２１は、電圧印加部１６、記憶部１８、及び取得部２２と電気的に接続されている。
【０１０５】
制御部２１は、ＣＰＵ（中央処理装置）、後述する第２の電圧印加ルーチンを実現するための第２の電圧印加プログラムを記憶したＲＯＭ（リードオンリーメモリー）、データ等を記憶するＲＡＭ（ランダムアクセスメモリ）、及びこれらを接続するバスを含んで構成されている。この制御部２１をハードウエアとソフトウエアとに基づいて定まる機能実現手段毎に分割した機能ブロックで説明すると、図１１に示すように、制御部２０は、領域情報取得部６０と、画素位置情報変換部６２と、最大電圧記憶部６６と、最大電圧印加指示部６５と、目的色表示指示情報取得部６８と、色表示用電圧印加指示部７０と、色情報記憶部７２と、を含んで構成されている。
すなわち、第１の実施の形態における制御部２０と異なる点は、本実施の形態における制御部２１が、最大電圧印加指示部６４に代えて、最大電圧印加指示部６５を有している点である。
【０１０６】
また、本実施の形態においては、目的色表示指示情報取得部６８が取得する目的色表示支持情報に含まれる、目的色を示す色情報には、第１の実施の形態と同様に、各画素電極４８の位置を示す位置情報と、各画素電極４８に表示させる目的の色を示す情報と、が含まれているが、この目的の色を示す情報として、各画素電極４８間で互いに異なる色を示す情報が含まれているものとする。
また、本実施の形態においては、領域情報取得部６０では、指示部材３２によって指示された、表示媒体１２上の表示色の変更対象領域を示す領域情報として、上記色情報の異なる画素（画素電極４８）に対応する領域が含まれているものとする。
【０１０７】
最大電圧印加指示部６５では、第２の最大電圧印加指示情報を電圧印加部１６へ出力する。この第２の最大電圧印加指示情報は、最大電圧記憶部６６から読取った最大電圧値情報の最大電圧値の電圧を、画素位置情報変換部６２で得られた各画素電極４８へ、画素電極４８毎に定めた極性で印加することを示す情報である。具体的には、この第２の最大電圧印加指示情報は、最大電圧記憶部６６から読取った最大電圧値情報と、画素位置情報変換部６２で得られた各画素電極４８の位置を示す位置情報と、各画素電極４８に印加する電圧の極性を示す情報と、電圧印加を指示する指示情報と、を含んで構成されている。
【０１０８】
この画素電極４８に印加する電圧の極性とは、表示媒体１２上における、変更対象領域内の各画素領域に表示されている色とは異なる色が表示されるように、最大電圧値の電圧の極性を定めたものである。すなわち、表示媒体１２上のある特定の画素領域の画素電極４８に、＋１５Ｖ（最大電圧値の電圧で且つ正極）の電圧を印加しても、現在表示されている色から変色しないが、−１５Ｖ（最大電圧値の電圧で且つ負極）の電圧を印加した場合には、現在表示されている色からの変色が生じる場合には、該画素電極４８に印加する最大電圧値の電圧の極性としては、負極（マイナス）が定められる。
【０１０９】
この画素電極４８毎の極性は、例えば、最大電圧印加指示部６５に設けられた記憶部６５Ａに、表示媒体１２に表示される色を示す色情報と、該色情報の色が表示された領域の画素電極４８に最大電圧値の電圧を印加したときに変色が生じるような電圧の極性を示す極性情報と、を対応づけて予め記憶しておく。そして、画素位置情報変換部６２で得られた各画素電極４８の位置を示す情報に対応する色情報を、色情報記憶部７２から読取り、読取った色情報を現在表示されている色を示す情報として定める。そして、読取った現在表示されている色を示す色情報に対応する極性情報を記憶部６５Ａから読取り、該色情報の色の表示されている画素領域の画素電極４８に印加する最大電圧値の電圧の極性情報として設定すればよい。
【０１１０】
この第２の最大電圧印加指示情報を受け付けた電圧印加部１６では、第２の最大電圧印加指示情報に含まれる、最大電圧値情報と、極性情報と、画素電極４８の位置を示す位置情報と、指示情報と、を読取り、読取った位置情報に対応する各画素電極４８へ、読取った最大電圧値の電圧を、各画素電極４８に対応する極性で印加する。
【０１１１】
次に、制御部２１で行われる、第２の電圧印加ルーチンについて、図１２を用いて説明する。
【０１１２】
なお、第１の実施の形態と同様に、表示媒体１２には、粒子群５０として、マゼンタの粒子群５０Ｍ、シアンの粒子群５０Ｃ、イエローの粒子群５０Ｙが封入されているものとして説明する。また、粒子群５０を構成する粒子群５０Ｙ、粒子群５０Ｍ、及び粒子群５０Ｃのうち、粒子群５０Ｍが負帯電で且つ移動電圧の絶対値｜Ｍ｜が１５Ｖであり、粒子群５０Ｃが正帯電で且つ移動電圧の絶対値｜Ｃ｜が１０Ｖであり、粒子群５０Ｙが負帯電で且つ移動電圧の絶対値｜Ｙ｜が５Ｖであるとする。すなわち、複数種類の粒子群５０の移動電圧の絶対値の関係が、｜Ｍ｜＞｜Ｃ｜＞｜Ｙ｜の関係である場合を一例として説明する。
【０１１３】
また、第１の実施の形態における制御部２０で行われる電圧印加ルーチンと同じ処理には同一符号を付与して詳細な説明を省略する。
【０１１４】
ステップ１００では、表示媒体１２上の表示色の変更対象領域を示す領域情報を取得したか否かを判別し、否定されると本ルーチンを終了し、肯定されるとステップ１０２へ進む。次のステップ１０２では、上記ステップ１００で取得した領域情報を、表示媒体１２上の各画素電極４８の位置を示す情報に変換する。次のステップ１０４では、最大電圧記憶部６６から最大電圧値（表示媒体１２に封入されている複数種類の粒子群５０の移動電圧の絶対値のうちの最大値以上の電圧値）情報を読取る。
【０１１５】
次のステップ２００では、上記ステップ１０２で変換することによって得られた、上記ステップ１００で取得した領域情報の変更対象領域に対応する、表示媒体１２上の複数の画素電極４８内の位置を示す情報に対応する色情報を、各画素領域に現在表示されている色を示す情報として、色情報記憶部７２から読取る。
【０１１６】
次のステップ２０２では、上記ステップ２００で読取った現在表示されている色を示す色情報に対応する極性情報を、記憶部６５Ａから読取ることによって、各画素電極４８に印加する最大電圧値の電圧の極性を設定する。
【０１１７】
次のステップ２０４では、上記ステップ１０２の処理によって得られた、変更対象領域に対応する、表示媒体１２上の各画素電極４８の位置を示す情報と、上記ステップ１０４で読取った最大電圧値情報と、上記ステップ２０２で変更対象領域内の画素電極４８毎に設定した極性情報と、に基づいて、第２の最大電圧印加指示情報を生成し、生成した第２の最大電圧印加指示情報を電圧印加部１６へ出力する。
【０１１８】
次に、上記図６で説明したステップ１１０〜ステップ１１６の処理が行われた後に、本ルーチンを終了する。
【０１１９】
図１２に示す、上記ステップ１００〜ステップ１０４、及びステップ２００〜ステップ２０４の処理が行われることによって、上記ステップ１００で取得した領域情報の変更対象領域に対応する、表示媒体１２上の複数の画素領域の各々に対応する位置に配置されている画素電極４８へ、最大電圧値の電圧が、現在該画素領域に表示されている色とは異なる色を表示するために定められた極性で、印加される。
【０１２０】
このため、第２の実施の形態における表示装置１１では、最大電圧値の電圧を印加するときに、変更対象領域に現在表示されている色とは異なる色が表示されるように、最大電圧値の電圧の極性が設定されるので、表示媒体１２上に既に表示されている画像に重ねて追記する領域の色が、背景色（既に表示媒体１２上に表示されている色）とは異なる色で表示される。
【０１２１】
詳細には、図１３（Ａ）に示すように、表示媒体１２上に画像９４が形成されており、この上に別の画像を追記する場合に、入力装置３２Ａを用いて新たな画像９５を変更対象領域として追記した場合に、印加される最大電圧値の電圧の極性によっては、図１３（Ｂ）に示すように、既に表示されている画像９４と同じ色に変色して軌跡が視認されない状態となる場合がある。そして、目的色の表示を指示する目的色表示指示情報を取得した場合には、既に表示されている画像９４上に、目的とする色で画像９８が表示される（図１３（Ｃ）参照）。
【０１２２】
一方、本実施の形態の表示装置１１によれば、表示媒体１２上に現在表示されている色（背景の色）に応じて、最大電圧値の電圧の極性を調整するので、図１３（Ｄ）に示すように、表示媒体１２上に既に表示されている画像９４の領域に一部重なるように、入力装置３２Ａを用いて新たな画像９６を変更対象領域として追記した場合に、画像９６のうちの画像９４の領域と重なる領域９６Ａには、背景である画像９４とは異なる色が表示される。そして、目的色の表示を指示する目的色表示指示情報を取得した場合には、既に表示されている画像９４上に、目的とする色で画像９８が表示される（図１３（Ｅ）参照）。
【０１２３】
なお、上記実施の形態（第１の実施の形態及び第２の実施の形態）では、電気泳動する粒子群５０として、色及び移動するために必要な移動電圧の絶対値の異なる複数種類の粒子群５０が含まれている場合を説明したが、電気泳動する粒子群５０として、移動電圧が同じであるが帯電極性の異なる粒子群を更に含んだ構成であってもよい。
【０１２４】
また、本実施の形態の表示媒体１２に含まれる複数種類の粒子群５０を、帯電極性が異なり、各々の移動電圧の絶対値以上の電圧が基板間に印加されたときに単独で移動し、各々の移動電圧の絶対値より小さい電圧値の電圧が印加されることで、正または負に帯電した凝集体を形成して泳動する２種類以上の粒子群を含んだ構成としてもよい。
【０１２５】
なお、異種の粒子群間の凝集力は、例えば、これらの粒子群を構成する粒子の表面に凝集性を制御するための高分子分散剤を付着させることで制御される。例えば、分散媒としてシリコーンオイルを用い、該シリコーンオイルに対して相溶性を有する高分子分散剤を粒子の表面に付着させれば、分散媒中で高分子分散剤が広がる、従って、２種類の粒子群がともに前記の高分子分散剤を表面に有していれば、粒子群同士は各粒子の表面の高分子分散剤同士が反発し合って凝集し難くなる。
【０１２６】
また、異種の粒子群間の凝集力は、例えば、これらの粒子群を構成する粒子の帯電量を調整することで制御してもよい。例えば、２種類の粒子群の帯電量が大きい場合には、粒子群同士は静電力により凝集しやすくなる。
【０１２７】
このような凝集粒子を含んだ構成とした場合についても同様に、図６及び図１２に示す処理を行えばよい。
【０１２８】
なお、最大電圧値の電圧が印加されると、これらの凝集粒子は、凝集状態から解除されて単独の粒子群として移動することから、該最大電圧値の電圧の印加によって色の変化が生じることはいうまでもない。
【０１２９】
なお、このような凝集粒子を含む場合について、最大電圧値の電圧を印加した後に、目的とする色を表示するための上記ステップ１１０〜ステップ１１６の処理を行った場合の、色変化の一例を、図１４を用いて説明する。
【０１３０】
なお、図１４に示す例では、マゼンタの粒子群５０Ｍは、負帯電で且つ移動開始電圧の絶対値が３０Ｖであり、シアンの粒子群５０Ｃは、正帯電で且つ移動開始電圧の絶対値が１０Ｖであり、イエローの粒子群５０Ｙは、負帯電で且つ移動開始電圧の絶対値が１０Ｖであるものとして説明する。そして、凝集する粒子群は、粒子群５０Ｃと粒子群５０Ｍであり、これらの粒子群の凝集体５０ＣＭは、正帯電で且つ移動開始電圧の絶対値が１０Ｖであるものとして説明する。また、イエローの粒子群５０Ｙは、他の粒子群（粒子群５０Ｍ及び粒子群５０Ｃ）や、凝集体５０ＣＭに比べて粒径が大きく、移動速度が速いものとして説明する。
【０１３１】
なお、表示媒体１２に含まれる粒子群の帯電特性は、これらに限定されない。各粒子の色と帯電極性は適宜設定すればよく、凝集体は全体として正帯電であってもよい。また、以下の説明で印加する電圧の値も一例であって、これに限定されず、各粒子の帯電極性、応答性、電極間の距離等に応じて適宜設定すればよい。
【０１３２】
図１４（Ａ）には、表示基板３４側に粒子群５０Ｍ及び粒子群５０Ｙが配置され、背面基板３６側に粒子群５０Ｃの配置された赤色表示（Ｒ表示）の状態の表示媒体１２の特定の画素の領域を一例として示した。
図１４（Ａ）に示す、赤色表示（Ｒ表示）のなされた状態の表示媒体１２において、画素電極４８に＋１０Ｖの電圧を、粒子群５０Ｙのみが表示基板３４側から背面基板３６側へ移動するのに要する時間（Ｔ１とする。例えば、１秒未満）印加すると、粒子群５０Ｙが背面基板３６側へ移動する。これにより、表示基板３４側には、粒子群５０Ｍによるマゼンタ色が表示（Ｍ表示）される（図１４（Ｂ）参照）。
【０１３３】
そして、このマゼンタ表示（Ｍ表示）のなされた状態の表示媒体１２において、画素電極４８に＋１０Ｖの電圧を、粒子群５０Ｃが背面基板３６側から表示基板３４側に移動するのに要する時間（Ｔ２とする、例えば、３秒未満）印加する。すると、背面基板３６側に配置されていた粒子群５０Ｃが表示基板３４側へ移動し、表示基板３４に配置されていた粒子群５０Ｍと共に、凝集体５０ＣＭを構成する（図１４（Ｃ）参照）。これにより、表示基板３４側には、マゼンタの粒子群５０Ｍとシアンの粒子群５０Ｃとの凝集体５０ＣＭによる青色（Ｂ表示）が表示される（図１４（Ｃ）参照）。
【０１３４】
そして、この青色表示（Ｂ表示）のなされた状態の表示媒体１２において、画素電極４８に−１０Ｖの電圧を、粒子群５０Ｙが背面基板３６側から表示基板３４側に移動するのに要する時間（例えば、１秒未満）印加する。すると、背面基板３６側に配置されていた粒子群５０Ｙが表示基板３４側へ移動し、表示基板３４に配置されていた凝集体５０ＣＭと、粒子群５０Ｙと、の色の減色混合により黒色（Ｂｋ表示）が表示される（図１４（Ｄ）参照）。
【０１３５】
一方、図１４（Ａ）に示す赤色表示（Ｒ表示）のなされた状態の表示媒体１２において、画素電極４８に−３０Ｖの電圧を、粒子群５０Ｙ及び粒子群５０Ｍが表示基板３４側から背面基板３６側へ移動し、粒子群５０Ｃが背面基板３６側から表示基板３４側へ移動するのに要する時間（例えば、１秒未満）印加すると、粒子群５０Ｙ及び粒子群５０Ｍが背面基板３６側へ移動し、粒子群５０Ｃが表示基板３４側に移動する。これにより、表示基板３４側には、粒子群５０Ｃによるシアン色が表示（Ｃ表示）される（図１４（Ｅ）参照）。
【０１３６】
なお、このシアン色の表示された状態の表示媒体１２において（図１４（Ｅ）参照）、画素電極４８に＋３０Ｖの電圧を、粒子群５０Ｙ及び粒子群５０Ｍが表示基板３４側から表示基板３４側へ移動し、粒子群５０Ｃが表示基板３４側から背面基板３６側へ移動するのに要する時間（例えば、１秒未満）印加すると、粒子群５０Ｙ及び粒子群５０Ｍが表示基板３４側へ移動し、粒子群５０Ｃが背面基板３６側に移動する。これにより、表示基板３４側には、粒子群５０Ｍ及び粒子群５０Ｙによる赤色が表示（Ｒ表示）される（図１４（Ａ）参照）。
【０１３７】
また、このシアン色の表示された状態の表示媒体１２において（図１４（Ｅ）参照）、画素電極４８に−１０Ｖの電圧を、粒子群５０Ｙ及び粒子群５０Ｍが表示基板３４側から背面基板３６側へ移動し、粒子群５０Ｙのみが背面基板３６側から表示基板３４側へ移動するのに要する時間（例えば、１秒未満）印加すると、粒子群５０Ｙが表示基板３４側へ移動する。これにより、表示基板３４側には、粒子群５０Ｃ及び粒子群５０Ｙによる緑色が表示（Ｇ表示）される（図１４（Ｆ）参照）。
【０１３８】
この緑色の表示された状態の表示媒体１２において（図１４（Ｆ）参照）、画素電極４８に−１０Ｖの電圧を、粒子群５０Ｃが表示基板３４側から背面基板３６へ移動するのに要する時間（例えば、３秒未満）印加すると、粒子群５０Ｃが背面基板３６側へ移動し、背面基板３６側において、粒子群５０Ｃと粒子群５０Ｍによる凝集体５０ＣＭが形成される。これにより、表示基板３４側には、粒子群５０Ｙによる黄色が表示（Ｙ表示）される（図１４（Ｇ）参照）。
【０１３９】
そして、この黄色の表示された状態の表示媒体１２において（図１４（Ｇ）参照）、画素電極４８に＋１０Ｖの電圧を、粒子群５０Ｙが表示基板３４側から背面基板３６へ移動するのに要する時間（例えば、１秒未満）印加すると、粒子群５０Ｙが背面基板３６側へ移動する。これにより、表示基板３４側には、粒子群５０Ｗによる白色が表示（Ｗ表示参照）される（図１４（Ｈ）参照）。
【０１４０】
なお、上記青色の表示（Ｂ表示）された状態の表示媒体１２において（図１４（Ｃ）参照）、画素電極４８に＋１０Ｖの電圧を、粒子群５０Ｙが背面基板３６側から表示基板３４側へ移動し、且つ凝集体ＣＭが表示基板３４側から背面基板３６側へ移動するのに要する時間（例えば、３秒未満）印加すると、凝集体５０ＣＭが背面基板３６側へ移動し、粒子群５０Ｙが表示基板３４側へ移動する。これにより、表示基板３４側には、粒子群５０Ｙによる黄色が表示（Ｙ表示）（図１４（Ｇ）参照）される。
【０１４１】
さらに、この上記黄色の表示（Ｙ表示）された状態の表示媒体１２において（図１４（Ｇ）参照）、画素電極４８に−１０Ｖの電圧を、粒子群５０Ｙが表示基板３４側から背面基板３６側へ移動し、且つ凝集体ＣＭが背面基板３６側から表示基板３４側へ移動するのに要する時間（例えば、３秒未満）印加すると、凝集体５０ＣＭが表示基板３４側へ移動し、粒子群５０Ｙが背面基板３６側へ移動する。これにより、表示基板３４側には、凝集体５０ＣＭによる青色が表示（Ｂ表示）される（図１４（Ｃ））。
【符号の説明】
【０１４２】
１０、１１  表示装置、１２  表示媒体、１６  電圧印加部、２０、２１  制御部、２２Ａ  第１取得部、２２Ｂ  第２取得部、３２  指示部材、３４  表示基板、３６  背面基板、４８  画素電極、５０  粒子群、６０  領域情報取得部、６４  最大電圧印加指示部、６５  最大電圧印加指示部、６８  目的色表示指示情報取得部、７０  色表示用電圧印加指示部
【図１】
0005321542.tif 000002
【図２】
0005321542.tif 000003
【図３】
0005321542.tif 000004
【図４】
0005321542.tif 000005
【図５】
0005321542.tif 000006
【図６】
0005321542.tif 000007
【図７】
0005321542.tif 000008
【図８】
0005321542.tif 000009
【図９】
0005321542.tif 000010
【図１０】
0005321542.tif 000011
【図１１】
0005321542.tif 000012
【図１２】
0005321542.tif 000013
【図１３】
0005321542.tif 000014
【図１４】
0005321542.tif 000015